(57)【要約】【課題】従来のカーテンやブラインドは、遮光、調光、通風手段を講じてはいるものの屋内用に限定使用されるものであると共に、少なくとも、太陽光を反射させて屋内への太陽光の進入を防止し、室内温度の上昇を積極的に抑制して省エネを図るものとは言い難かった。そこで、主に屋外に設置し、太陽光の直接光を天空に反射させて、太陽光の屋内への侵入防止、建築物等の温度上昇の抑制等を可能とする反射機能を有し、併せて遮光機能、調光機能、通風機能、冷却機能を有する遮光シートを提供する。【解決手段】  本発明は、格子状表編地部ＦＫと格子状裏編地部ＢＫと、該２枚の編地を連結して形成された面状連結編地部１１とを備え、該面状連結編地部１１が一定間隔で格子状表編地部ＦＫと格子状裏編地部ＢＫの間に傾斜状に渡設されてなるダブルラッシェル編地Ｒを、巻きあげ、巻き戻し可能に構成した遮光シート１。【選択図】図１
2014001472.tif 000002
【特許請求の範囲】
【請求項１】
格子状表編地部と格子状裏編地部と、連結糸で編成された面状連結編地部とを備え、該面状連結編地部が一定間隔で格子状表編地部と格子状裏編地部の間に傾斜状に渡設されてなるダブルラッシェル編地で構成した上方へ光を反射可能なことを特徴とする遮光シート。
【請求項２】
連結糸に反射機能糸を使用し、面状連結編地部が反射機能を有することを特徴とする請求項１記載の遮光シート。
【請求項３】
反射機能糸がフィルムに金属を蒸着して形成されるスリットヤーンであることを特徴とする請求項２記載の遮光シート。
【請求項４】
矩形の遮光シートに、液流通路部を設け、該液流通路部から矩形遮光シートに液体を流すようにしたことを特徴とする請求項１記載の遮光シート。
【請求項５】
液流通路部が遮光シートの上端位置に設けられていることを特徴とする請求項４記載の遮光シート。
【請求項６】
液流通路部が遮光シートの中位置に設けられていることを特徴とする請求項４記載の遮光シート。
【請求項７】
液流通路部が遮光シートの上端部を包囲するように設けられていることを特徴とする請求項５記載の遮光シート。
【請求項８】
液流通路部が遮光シートの表側に添設されており順目方向に液を流すことを特徴とする請求項４記載の遮光シートに存する。
【請求項９】
遮光シートの巻き上げ機構を設けたことを特徴とする請求項８の遮光シート。
【発明の詳細な説明】
【技術分野】
【０００１】
本発明は、表編地部と裏編地部と、該２枚の編地を連結する連結部とで構成される立体構造布帛による遮光シートに関し、詳しくは、表編地部、並びに裏編地部を風通しを良くするために疎に編成し、連結部を遮光機能を得るために一定の密度に編成したダブルラッシェル編地により、通風機能と遮光機能とを有する遮光シートを形成すると共に、これに水を流下させて、通過する風を冷却する冷却機能とを併せ持つ屋外用遮光シートを提供する。
【背景技術】
【０００２】
夏場の強い日光を遮り、居住者の生活環境を向上させる手段として、古くは暖簾や簾が用いられてきた。
今日では、カーテンやブラインドが主流となっていて、遮光機能と調光機能と通風機能を有しているものが多い。
これらのカーテンやブラインドには改良が重ねられ多くの製品が提案されてきた。
【０００３】
中でも特徴のあるものとして編物や織物による立体構造布帛を用いたカーテンやブラインドがある。
例えば、特許文献１に示すように、基布となる編地上に断面が遮蔽用の斜め方向の編成部分を形成して、一方の光を遮るように形成されたブラインド用編生地がある。
【０００４】
また、特許文献２では、２枚のネット状編地と、その２枚編地を連結して、連結糸による遮光機能を有する立毛層を形成し、この立毛層を２枚のネット状編地の上下動によりその角度を制御することにより光量の調整を行うものが示されている。
【０００５】
そして、上記、特許文献１、特許文献２の布帛がダブルラッシェル編地であるのに対して、特許文献３に示す例では、織物で立体構造を形成し、表裏２枚の地組織の上下動可能な調光性布帛を提案している。
【０００６】
また、本発明者は、特許文献４に示されるように、２枚の格子状の編地を形成すると共に、その２枚の編地を連結する連結糸により遮光層を形成して、更にこの編地を樹脂で固めてブラインドやシェードに用いる光透過性の編物製シート材を提案している。
本例はダブルラッシェル編地であり、機能的なシート材を提供している。
【０００７】
更に、温度を下げる手段として、ブラインドやシート材に水を流下させて、風の温度を下げる手段が講じられているものがある。
例えば、特許文献５に示すように、ブラインドの上方から水を流下させて、気化熱により風を冷却して、室内に冷風を導き、室内温度を低下させるものがある。
【０００８】
また、特許文献６に示すようにネット状編地を取り付け、これに植物を絡ませると共に水を流下させて窓から流入する空気流の温度を気化熱を利用して低下させるグリーンウオーターカーテンが提案されている。
【先行技術文献】
【特許文献】
【０００９】
【特許文献１】実開平３−１２８６８０号公報
【特許文献２】特開２００１−１７２８４１号公報
【特許文献３】特開２００２−５４０５０号公報
【特許文献４】特許第４０７４８８４号
【特許文献５】特開２００８−４５３８７号公報
【特許文献６】特開２００９−１７８００号公報
【特許文献７】特開２００７−１９２０１６号公報
【発明の概要】
【発明が解決しようとする課題】
【００１０】
上記、説明したように、遮光、調光、通風手段として多くの開発がなされてきた。しかし、これらは、いずれもが屋内で使用されることを主眼に開発がなされている。
つまり、これらの設定では、太陽光は一旦、室内に入り込み、入り込んだ太陽光を遮断する、或いは調光するための手段が提案されている。
それぞれの提案は一定の効果を得ているものの、太陽光の室内への侵入を防止するものではなく、遮光と言うより主に調光による室内の明るさ調整を行うものとして捉えられている傾向が強い。
【００１１】
そもそも、カーテンやブラインドを室内で使用する目的は、外から室内が見えないようにすることや室内の明るさの調整に加えて、夏場においては、室内の温度上昇を防ぎ省エネをはかる大きな役割がある。
太陽光は、太陽からの光が直接当たる直接光と、直接光が、例えば壁面に当たって反射する反射光がある。
直接光も反射光もいずれも温度上昇をもたらす。
【００１２】
そこで、太陽光による温度上昇を防ぐには、直接光をできるだけ天空（大空）に向けて反射させることが有効となる。
こうすることで、例えば建築物の壁面に直接光が当たることによる壁面自体の温度上昇を抑制することができると共に、壁面から地面に向かって反射された反射光による２次温度上昇を抑制できる。
【００１３】
これらのことについては、特許文献７に、表面を一定の角度に形成したタイルを建造物の表面に敷設することで太陽光を天空に反射して反射光によるヒートアイランド現象を抑制する方法が提案されている。
【００１４】
このような観点から、従来例を見てみると、特許文献１〜文献４においては、立体構造布帛による遮光、調光、通風手段を講じた屋内用カーテンやブラインド素材が示されている。
これらの提案は、少なくとも、太陽光を反射させて屋内への太陽光の進入を積極的に抑制して省エネを図るものとは言い難い。
【００１５】
特許文献５に関しては、ブラインドの上方から水を流下させて、気化熱により風を冷却して、室内に冷風を導き、室内温度を低下させるものであるし、特許文献６に示すものは、ネット状編地を取り付け、これに植物を絡ませると共に水を流下させて窓から流入する空気流の温度を気化熱を利用して低下させるグリーンウオーターカーテンが提案されていて、太陽光の反射機能を有するものではない。
【００１６】
つまり、従来技術においては、特に夏場において、太陽光を天空（大空、宇宙）に反射させて、地上等への反射光の発生防止や、室内への光の侵入を防止する積極的技術手段とは言い難かった。
【００１７】
本発明は、以上のような諸事情を背景になされたものである。
すなわち、格子状表編地部と格子状裏編地部と、該２枚の編地を連結して形成された面状連結編地部とを備え、該面状連結編地部が一定間隔で格子状表編地部と格子状裏編地部の間に傾斜状に渡設されてなるダブルラッシェル編地を、巻きあげ、巻き戻し可能に構成した遮光シート。
【課題を解決するための手段】
【００１８】
上記課題を解決するために鋭意、研究した結果、ダブルラッシェル地の表編地と裏編地とを格子状に編成して、格子状表編地部ＦＫと格子状裏編地部ＢＫを得ると共に、該２枚の編地間に一定間隔を開けて傾斜した状態の面状連結編地部１１部を形成した遮光シート１を得て、該遮光シート１を、巻きあげ、巻き戻し自在に構成すると共に、更に水等の液体を流下させる液体流下装置Ｍを設けて、反射機能、遮光機能、調光機能、通風機能、冷却機能とを併せ持つ遮光シート１を完成した。
【００１９】
即ち、本発明は、（１）、格子状表編地部と格子状裏編地部と、連結糸で編成された面状連結編地部とを備え、該面状連結編地部が一定間隔で格子状表編地部と格子状裏編地部の間に傾斜状に渡設されてなるダブルラッシェル編地で構成した上方へ光を反射可能な遮光シートに存する。
【００２０】
即ち、本発明は、（２）、連結糸に反射機能糸を使用し、面状連結編地部が反射機能を有する上記（１）記載の遮光シートに存する。
【００２１】
即ち、本発明は、（３）、反射機能糸がフィルムに金属を蒸着して形成されるスリットヤーンである上記（２）記載の遮光シートに存する。
【００２２】
即ち、本発明は、（４）、矩形の遮光シートに、液流通路部を設け、該液流通路部から矩形遮光シートに液体を流すようにした上記（１）記載の遮光シートに存する。
【００２３】
即ち、本発明は、（５）、液流通路部が遮光シートの上端位置に設けられている上記（４）記載の遮光シートに存する。
【００２４】
即ち、本発明は、（６）、液流通路部が遮光シートの中位置に設けられている上記（４）記載の遮光シートに存する。
【００２５】
即ち、本発明は、（７）、液流通路部が遮光シートの上端部を包囲するように設けられている上記（５）記載の遮光シートに存する。
【００２６】
即ち、本発明は、（８）、液流通路部が遮光シートの表側に添設されており順目方向に液を流す上記（４）記載の遮光シートに存する。
【００２７】
即ち、本発明は、（９）、遮光シートの巻き上げ機構を設けた上記８記載の遮光シートに存する。
【００２８】
なお、本発明の目的に沿ったものであれば上記（１）〜（９）を適宜組み合わせた構成も採用可能である。
【発明の効果】
【００２９】
本発明の遮光シートは、格子状表編地と格子状裏編地と、連結糸で編成された面状連結編地とを備え、該面状連結編地が一定間隔で格子状表編地と格子状裏編地の間に傾斜状に渡設された構造のダブルラッシェル編地であるので一体的にダブルラッシェル機により形成でき、その製造が極めて効率的である共に、上方へ（すなわち天空へ）光を効率よく反射させることができる。
【００３０】
そして、本発明の遮光シートは、遮光シートの面状連結編地部が、傾斜した状態であるので、これを巻き上げる際、面状連結編地部Ｍ同士が互いに近接して、あたかも鎧のように少しずつずれた状態に重なってしっかりと巻き上げられる。
これにより、不使用時には、嵩張らず、巻き上げ易いことと併せて絞り効果が得られる。
巻き上げた後は、濡れた遮光シートが脱水されて乾きが速い利点もある。
【００３１】
そして、本発明の遮光シートは、格子状表編地と格子状裏編地の間に面状連結編地が太陽光を反射可能に傾斜状に渡設されているので、本遮光シートを上下方向、に真っ直ぐに設置した場合でも、太陽光の直接光が上方、すなわち天空に反射されて、温度上昇の抑制効果が得られる。
【００３２】
そして、本発明の遮光シートが、その面状連結編地部を編成する連結糸として、フィルムに金属を蒸着して形成されるスリットヤーンを使用している場合には、面状連結編地部が、効率よく太陽光の直接光を天空に反射することができる。
【００３３】
そして、本発明の遮光シートが、その上端位置に液流通路部を設けて、該液流通路部から液体を流す場合には、液体は面状連結編地部の順目方向に自然落下することとなり順を追って効率よく面状連結編地部に液体が行き渡り、気化熱を奪って通過する風や空気を冷却する的確な冷却機能が発揮される。
【００３４】
そして、本発明の遮光シートが、その中位置近傍で表側に液流通路部を設ける場合には、積極的に上方に空風をまた下方に湿気風を通すように区別することが可能となる。
また本遮光シートの設置場所に応じて、最も効果的な遮光シートの位置に液流通路部を設けることができるので、効率的な冷却機能が発揮される。
【００３５】
そして、本発明の遮光シートに巻き上げ機構を備えた場合は、不要な時は巻きあげておき、使用時に必要な長さを巻き戻すことができるので使い勝手が良い。  
【００３６】
そして、本発明の遮光シートに設けられる液流通路部が、多数の小穴が設けられたパイプ状である場合には、遮光シートの上端位置、中位置を問わず、容易にしかも安価に液流通路部を設けることができるので、構造的にも経済的に極めて効率的である。
【図面の簡単な説明】
【００３７】
【図１】図１は、遮光シートの概要説明図である。
【図２】図２は、窓等Ｗ外側に取り付けられた、巻きあげ、巻き戻し可能な遮光シートの概要側面図である。
【図３】図３は、直射光が面状連結編地部に当たった際の状態説明図である。
【図４】図４は、遮光シートの上端位置に液流通路部を有する液体流下装置が設けられた概要側面図である。
【図５】図５は、下方に一定間隔で多数の小穴が設けられて、パイプ状に形成された液流通路部から水が滴下している概要説明図（一部省略）である。
【図６】図６は、遮光シートの上端部を包み込むように包囲して設けられる包囲型液流通路部を有する液体流下装置の概要側面図である。
【図７】図７は、液流通路部が遮光シートの中程に設けられた液体流下装置の概要側面図である。
【図８】図８は、ダブルラッシェル機の説明図（一部省略）である。
【図９】図９は、表編地の拡大組織図（一部省略）である。
【図１０】図１０は、格子状表編地部、並びに格子状裏編地部の概観図である。
【図１１】図１１は、面状連結編地部が格子状表編地部と格子状裏編地部とを連結している概要説明図である。
【発明を実施するための形態】
【００３８】
以下、必要に応じて図面を参照しつつ、本発明の好適な実施形態について詳細に説明する。
【００３９】
（第１の実施の形態）
本実施の形態における遮光シートは、図８の説明図（一部省略）に示すダブルラッシェル機Ｒで編成される。このダブルラッシェル機ＲはフロントニードルＦＮとバックニードルＢＮの２列針を擁し、フロントニードルＦＮで表編地Ｆを、バックニードルＢＮで裏編地Ｂを編成する。
本実施の形態では、７枚のオサＬ（Ｌ１〜Ｌ７）を用いている。
この他、耳用のオサや補強用編成糸等のオサが用いられる（図示しない）。
【００４０】
オサＬ１からオサＬ３を用いて表編地Ｆを編成し、オサＬ５からオサＬ７を用いて裏編地Ｂを編成する。
本実施の形態では、表編地Ｆは、図９の拡大組織図（一部省略）に示すようにオサＬ３で編成される鎖編ＣとオサＬ１、Ｌ２で挿入される挿入編Ｓ１、Ｓ２とで形成され、図１０の概観図に示す格子状表編地部ＦＫとなる。
また裏編地Ｂは、オサＬ４で編成される鎖編Ｃと、オサＬ５、Ｌ６で挿入される挿入編Ｓ１、Ｓ２とで形成される格子状表編地部ＦＫと同様の組織である格子状裏編地部ＢＫとなる。
【００４１】
そして、図１１の概要説明図に示すように、オサＬ４によって、格子状表編地部ＦＫと格子状裏編地部ＢＫとを連結した面状連結編地部１１が形成される。
本実施の形態では面状連結編地部１１を編成するオサはオサＬ４の１枚を使用しているが、必要に応じて数枚を用いることができる。
【００４２】
面状連結編地部１１は、図１１に示すように格子状表編地部ＦＫの鎖編Ｃと格子状裏編地部ＢＫの鎖編Ｃとを連結する際、対向する鎖編Ｃ１からずれた鎖編Ｃ２に連結することで格子状表編地部ＦＫと格子状裏編地部ＢＫに斜めに（傾斜角θ）交叉した状態の面状連結編地部１１を形成できる。
対向する鎖編Ｃが１本づつ、ずれる毎に、例えば格子状表編地部ＦＫの鎖編Ｃ１から格子状裏編地部ＢＫの鎖編Ｃ３に連結された場合、斜めの度合いが大きくなり面状連結編地部１１の幅Ｈを大きくすることができる。
本実施の形態では、１本の鎖編のずれとしている。
なお、２本の鎖編のずれとすることも可能である。
【００４３】
こうして編成された遮光シート１を、適宜な寸法の矩形にカットする。
この矩形の遮光シート１を横方向にして使用する。
図１の概要説明図（一部省略）に示すように、横方向とすることで面状連結編地部１１は遮光シート１の表側方向に傾斜した状態で一定間隔に配列される。
この矩形の遮光シートは、嵩高にならずに巻き上げることができる。
【００４４】
例えば、図２の概要側面図に示すようにロール芯２に巻き付け、ロール芯２を回転させることで巻き上げ、巻き戻しを容易に可能とする巻き上げ機構（図示しない）を採用することができる。
ロール芯２の回転は手動でもモーター等の駆動源を有するものでも可能であるが、本実施の形態では、手動を採用している。
そして、所定の巻き上げ位置で停止させる固定機構（図示しない）を採用している。
遮光シートは、垂直方向から一定角度傾斜させて配置することにより、日除けしながら内側から外側が透視することが可能である。
面状連結編地部１１は風が通過できるので、いわゆる風によるバタツキが生じない利点もある。
【００４５】
遮光シート１の面状連結編地部１１は、不使用のため、これを巻き上げる際、面状連結編地部１１同士が互いに近接して、あたかも鎧のように少しずつずれた状態に重なってしっかりと巻き上げられる。
これにより、嵩張らず、巻き上げができる。
更に、後述するように、液体を流した場合であっても巻き上げと同時に表面に付着した水の絞り効果が得られる。
【００４６】
このように構成された遮光シート１は、例えば窓等Ｗの外側に取り付けられる。
遮光シート１は巻きあげ機構で窓の大きさや設置場所に応じた適度な長さに設定され、図３の状態説明図に示すように、太陽光の直射光Ｙ１が傾斜した面状連結編地部１１に当たることとなり、その一部は上方に反射されて反射光Ｙ２となり、一部は、通過光Ｙ３となり適度な明るさに調光されて屋内に入り込む。
【００４７】
ここで、面状連結編地部１１の編成に反射機能糸を使用すれば太陽光を効率よく反射して、遮光シート１自体の温度上昇をより防ぐと共に建築物やその屋内外の温度上昇防止に効果がある。
反射機能糸としては、例えば、ラメ糸のようなアルミ蒸着のスリットヤーンがあるし、ステンレス糸、更には糸自体に金属がメッキされたものなどがある。
また、酸化チタン等を付与した糸も使用可能である。
そして、一定間隔で傾斜状に渡設された面状連結編地部１１の間から風が屋内に導かれる。
つまり、本遮光シート１は、反射機能、遮光機能、調光機能、及び通風機能を充分に発揮することとなる。
【００４８】
（第２の実施の形態）
本実施の形態における遮光シートは、上記した第１の実施の形態における遮光シート１に加えて、図４の概要側面図に示すように、その上端位置に液流通路部３を有する液体流下装置Ｍが設けられる。
液流通路部３は、図５の概要説明図に示すように、パイプ状に形成されていて、その下方には一定間隔で多数の小穴３１が設けられている。
これで遮光シートの上端位置、中位置を問わず、容易にしかも安価に液流通路部を設けることができるので、構造的にも経済的に極めて効率的である。
液流通路部３には水が通されていて、小穴３１から滴下する。
滴下した水は面状連結編地部１１の傾斜に従い、つまり順目方向に従い、順次、効率よく流下していく。
この時、気化熱を奪うことにより通過する風を冷やし冷却機能を発揮する。
液流通路部３への水の送り込みや滴下については、ポンプ等を用いる場合や、水道の水圧等により行う場合があり、液体流下装置Ｍがこれらの機能を備えるものである。
【００４９】
（第３の実施の形態）
本実施の形態における遮光シート１は、図６の概要側面図に示すように、第２の実施の形態で示した液流通路部３が、遮光シート１上端部を包囲した状態で設けられている。
このように液流通路部３が遮光シート１の上端部を包み込むように包囲して設けられる包囲型液流通路部４を採用することで、水は的確に遮光シート１上端に滴下されると共に、ロール芯２をも内包することとなり、保護機能を有したシンプルな形状を可能とする。
【００５０】
（第４の実施の形態）
本実施の形態における遮光シート１においては、図７の概要側面図に示すように、液流通路部３が遮光シート１の中程に設けられる。
つまり、遮光シート１の全体に水を滴下させる必要がない場合、或いは積極的に上方に空風を下方に湿気風を通したい場合、一定の高さの位置に液流通路部３を移動固定してその部分から水を滴下させることができる。
液流通路部３は、遮光シート１の両サイドに設けられた固定部（図示しない）を有していて、この固定部に液流通路部３の両端を固定することで、遮光シート１の所要位置に液流通路部３を留め置くことができる。
また遮光シートの両側に流通通路部３を案内するガイドを設けることにより、液流通路部３を積極的に上下移動させることも可能であり、この場合は、水の滴下領域を調整することができる。
【００５１】
ここで、本遮光シートを編成するために使用する編成糸については、例えば、格子状表編地部の鎖編の編成糸としてポリエステル７５ｄe／３６ｆ×２、挿入編の編成糸として７５ｄｅ／３６ｆ×２、面状連結編地部の編成糸として１５０ｄｅ／４８ｆ×２があげられる。
面状連結編地部の編成糸にラメ糸を用いる場合には、１２０切り×２相当のものがあげられる。
【００５２】
以上、本発明をその実施の形態を例に説明したが、本発明はその本質に変更のない限り、実施の形態のみに限定されるものではなく多様な変形例が可能である。
例えば、格子状表編地部ＦＫや格子状裏編地部ＢＫの組織について必ずしも格子状である必要はなく、要するに、反射機能や通風機能を阻害しないネット状の組織であれば良い。
また、面状連結編地部１１の編成糸についても、必ずしも１種類である必要はなく、２枚のオサＬを使用して例えば、ポリエステル糸と金属糸の２種類を使用する事も可能である。
そして、遮光シート１に樹脂加工を施して硬度を付与することも当然可能である。
樹脂加工の際、樹脂にアルミ等の金属粉を入れて反射機能の向上を図ることも可能である。
また、遮光シート１を窓等Ｗやベランダに使用するのみならず、建築物の大型の壁面材として使用する事も可能である。
また、遮光シート１は、屋外に限らず、室内用として使用することも十分可能である。
【産業上の利用可能性】
【００５３】
本発明の遮光シートは、建築物の開口部等、その大小に関わらず、多方面に多様な形状でいかなる環境においても使用可能である。
【符号の説明】
【００５４】
１・・・遮光シート
１１・・・面状連結編地部
２・・・ロール芯
３・・・液流通路部
３１・・・小穴
４・・・包囲型液流通路部
Ｂ・・・裏編地
ＢＫ・・・格子状裏編地部
ＢＮ・・・バックニードル
Ｃ（Ｃ１、Ｃ２、Ｃ３）・・・鎖編
Ｆ・・・表編地
ＦＫ・・・格子状表編地部
ＦＮ・・・フロントニードル
Ｈ・・・面状連結編地部の幅
Ｌ（Ｌ１〜Ｌ７）・・・オサ
Ｍ・・・液体流下装置
Ｒ・・・ダブルラッシェル機
Ｓ（Ｓ１、Ｓ２）・・・挿入編
Ｗ・・・窓等
Ｙ１・・・直射光
Ｙ２・・・反射光
Ｙ３・・・通過光
【図１】
2014001472.tif 000003
【図２】
2014001472.tif 000004
【図３】
2014001472.tif 000005
【図４】
2014001472.tif 000006
【図５】
2014001472.tif 000007
【図６】
2014001472.tif 000008
【図７】
2014001472.tif 000009
【図８】
2014001472.tif 000010
【図９】
2014001472.tif 000011
【図１０】
2014001472.tif 000012
【図１１】
2014001472.tif 000013